(57)【要約】  簡単な構造で人体に有害な紫外光の照射量を精度よく適正に測定でき、周辺回路のセンサとの一体作り込みも容易にでき、小型・軽量で低コストであり携帯（mobile）若しくは着用(wearable)に適した紫外光用固体受光デバイスを提供する。第一のフォトダイオード（１）と第二のフォトダイオード（２）、これらのフォトダイオード（２）からの出力に基づく信号のそれぞれが入力される差動回路とを備え、上記フォトダイオード（１）、（２）内、及び各フォトダイオード上に設けた半導体層領域に、半導体不純物の最大濃度位置をそれぞれ設ける。
2015151198.tif 000002
【特許請求の範囲】
【請求項１】
シリコン（Ｓｉ）を主成分とする半導体基体を有し、該半導体基体内には、実効上立体的に重ならない様に配されている第一のフォトダイオード（１）と第二のフォトダイオード（２）が設けられており、前記フォトダイオード（１）の出力（１）に基づく信号（１）と前記フォトダイオード（２）の出力（２）に基づく信号（２）とが入力される差動回路を備える紫外光用固体受光デバイスにおいて、
前記第一のフォトダイオード（１）は、第一の導電型（１）の半導体層領域（１−１）、該半導体層領域（１−１）の上に設けた前記導電型（１）と逆の第二の導電型（２）の半導体層領域（１−２）とで半導体接合が形成され、
前記半導体層領域（１−１）は、半導体不純物の濃度が層厚方向に分布し且つ該分布における最大濃度位置（１−１）を備え、
前記半導体層領域（１−２）上には前記導電型（１）の半導体層領域（１−３）が設けられ、該半導体層領域（１−３）は、半導体不純物の濃度が層厚方向に分布し且つ該分布における最大濃度位置（１−２）を備え、
前記第二のフォトダイオード（２）は、第一の導電型（１）の半導体層領域（２−１）、該半導体層領域（２−１）の上に設けた前記導電型（１）と逆の第二の導電型（２）の半導体層領域（２−２）とで半導体接合が形成され、
前記半導体層領域（２−１）は、半導体不純物の濃度が層厚方向に分布し且つ該分布における最大濃度位置（２−１）を備え
前記半導体層領域（２−２）上には前記導電型（１）の半導体層領域（２−３）が設けられ、該半導体層領域（２−３）は、半導体不純物の濃度が層厚方向に分布し且つ該分布における最大濃度位置（２−２）を備え、
前記最大濃度位置（１−１）と前記最大濃度位置（２−１）とは前記半導体基体の表面からの深さ方向において同じ若しくは実質的に同じであり、
前記最大濃度位置（１−２）と前記最大濃度位置（２−２）は前記半導体基体の表面からの深さ方向において異なっていることを特徴とする紫外光用固体受光デバイス。
【請求項２】
前記最大濃度位置（１−２）は、前記最大濃度位置（２−２）より深い位置にあり、前記半導体層領域（１−３）は、前記最大濃度位置（１−２）よりも浅い領域においてＵＶ−Ａ，ＵＶ−Ｂの光が十分吸収され得る層厚を有し、前記半導体層領域（２−３）は、該半導体層領域（２−３）おいてＵＶ−Ａ，ＵＶ−Ｂの光の吸収が実効的にないと見做され得る厚み以下のところに前記最大濃度位置（２−２）を有することを特徴とする請求項１に記載の紫外光用固体受光デバイス。
【請求項３】
前記差動回路が前記半導体基体内に前記フォトダイオード（１）と前記フォトダイオード（２）と一体的に設けられていることを特徴とする請求項１または請求項２に記載の紫外光用固体受光デバイス。
【請求項４】
前記差動回路が差動増幅回路であることを特徴とする請求項３に記載の紫外光用固体受光デバイス。
【請求項５】
請求項１乃至4のいずれか１項に記載の紫外光用固体受光デバイスを備えた電子機器。
【請求項６】
前記電子機器は、通信機能を更に備えることを特徴とする請求項5に記載の電子機器。
【発明の詳細な説明】
【技術分野】
【０００１】
本発明は、紫外光用固体受光デバイスに関するものである。
【背景技術】
【０００２】
オゾンホールの形成と拡大に伴う紫外光（UV-rays：Ultraviolet rays）への脅威、特にUV-ray照射に起因する皮膚癌への恐怖は、オゾンホールの拡大が著しい南半球の人々に限らず、全人類にとっての脅威・恐怖であり、その対策は大きな課題である。【０００３】
一方で、依然として小麦色の日焼けは健康と魅力の元になっており、若者の間では、積極的に日を浴びることが多い。【０００４】
更には、健康の維持という点では日光を受けてビタミンＤを獲得する必要もある。【０００５】
これらの点から、人体に有害な紫外光（ＵＶ−Ａ：波長３１５〜３８０ｎｍ，ＵＶ−Ｂ：波長２８０〜３１５ｎｍ、ＵＶ−Ｃ：波長２８０〜２００ｎｍ以下）は避けて日光に浴することが強く望まれる。【０００６】
日常的には、帽子、長手袋、日傘などのグッズを用いる、長袖シャツなどを着用することや、日焼け防止用化粧品や医薬品を露出する皮膚（スキン）に塗ることで日焼け防止対策（紫外線対策）を図っているのが現実である。【０００７】
しかし、日光の紫外線の量は、真夏の炎天下に限らず曇天下においても多いが、曇天の場合は往々にして紫外線対策を怠りがちである。更に、外出途中で紫外線量の多い天候に急変したりした場合には、万全な紫外線対策が施せない場合が少なくない。【０００８】
そこで、最近は、紫外線を測り適切な紫外線対策が立てられるように携帯型の紫外光センサが提案されたり商品化されたりし始めている。【０００９】
ところで、太陽光は、紫外光の他可視光、赤外光も含むので、紫外光の照射量を測る際には、この紫外光以外の光線による測定値への影響を避けなければ、紫外光の照射量を正確に測定できない。【００１０】
バルクのシリコン（Ｓｉ）を半導体基体として利用する場合は、シリコン（Ｓｉ）層が紫外光の他可視光・赤外光にも感応するので、例えば、可視光・赤外光カット光学フィルターが必須であり、コストを高める要因になっている。この課題解決の一つに薄膜ＳＯＩ（Silicon On Insulator）基体を用いる例がある（非特許文献１、２）。【００１１】
非特許文献１，２に記載のＵＶセンサには、ＳＯＩ層の厚みが薄く比較的可視光・赤外光を透過し易いことを利用して、主に波長４００ｎｍ以下の光に選択的に高い感度をもたせている。
【先行技術文献】
【非特許文献】
【００１２】
【非特許文献１】「ＳＯＩ  ＵＶセンサＩＣの開発」三浦他、ＯＫＩテクニカルレビュー２００７年１０月／第２１１号Ｖｏｌ．７４Ｎｏ．３、pp38-39
【非特許文献２】「A UV Sensor IC based on SOI Technology for UV care application」SICE Annual conference 2008,August 20-22,2008,The University Electoro-Communications,Japan,pp317-320
【発明の概要】
【発明が解決しようとする課題】
【００１３】
しかしながら、非特許文献１、２のＵＶセンサでは、波長３８０ｎｍ以上の光に対しても未だ感度を有しており（非特許文献１の図１、非特許文献２のＦｉｇ．５参照）、前記課題の十分な解決には至ってはいない。【００１４】
更なる解決として、ＳＯＩ層を更に薄くすることが考えられるが、そうすると、特長の一つにしている周辺回路との一体化作り込みが難しくなり、ＳＯＩ層の薄層化は好ましくない。【００１５】
本発明は、斯かる点に鑑み鋭意検討・研究してなされたものであり、簡単な構造で人体に有害な紫外光の照射量を精度よく適正に測定でき、周辺回路のセンサとの一体作り込みも容易にできる紫外光用固体受光デバイスを提供することを主な目的とする。【００１６】
本発明のもう一つの目的は、小型・軽量で低コストであり携帯（mobile）若しくは着用(wearable)に適した紫外光用固体受光デバイスを提供することである。
【課題を解決するための手段】
【００１７】
本発明の第一の観点は、シリコン（Ｓｉ）を主成分とする半導体基体を有し、該半導体基体内には、実効上立体的に重ならない様に配されている第一のフォトダイオード（１）と第二のフォトダイオード（２）が設けられており、前記フォトダイオード（１）の出力（１）に基づく信号（１）と前記フォトダイオード（２）の出力（２）に基づく信号（２）とが入力される差動回路を備える紫外光用固体受光デバイスにおいて、
前記第一のフォトダイオード（１）は、第一の導電型（１）の半導体層領域（１−１）、該半導体層領域（１−１）の上に設けた前記導電型（１）と逆の第二の導電型（２）の半導体層領域（１−２）とで半導体接合が形成され、
前記半導体層領域（１−１）は、半導体不純物の濃度が層厚方向に分布し且つ該分布における最大濃度位置（１−１）を備え
前記半導体層領域（１−２）上には前記導電型（１）の半導体層領域（１−３）が設けられ、該半導体層領域（１−３）は、半導体不純物の濃度が層厚方向に分布し且つ該分布における最大濃度位置（１−２）を備え、
前記第二のフォトダイオード（２）は、第一の導電型（１）の半導体層領域（２−１）、該半導体層領域（２−１）の上に設けた前記導電型（１）と逆の第二の導電型（２）の半導体層領域（２−２）とで半導体接合が形成され、
前記半導体層領域（２−１）は、半導体不純物の濃度が層厚方向に分布し且つ該分布における最大濃度位置（２−１）を備え、
前記半導体層領域（２−２）上には前記導電型（１）の半導体層領域（２−３）が設けられ、該半導体層領域（２−３）は、半導体不純物の濃度が層厚方向に分布し且つ該分布における最大濃度位置（２−２）を備え、
前記最大濃度位置（１−１）と前記最大濃度位置（２−１）とは前記半導体基体の表面からの深さ方向において同じ若しくは実質的に同じであり、
前記最大濃度位置（１−２）と前記最大濃度位置（２−２）は前記半導体基体の表面からの深さ方向において異なっていることを特徴とする紫外光用固体受光デバイス（ＵＶＳＤ１）を提供することにある。【００１８】
本発明の第二の観点は、前記最大濃度位置（１−２）は、前記最大濃度位置（２−２）より深い位置にあり、前記半導体層領域（１−３）は、前記最大濃度位置（１−２）よりも浅い領域においてＵＶ−Ａ，ＵＶ−Ｂの光が十分吸収され得る層厚を有し、前記半導体層領域（２−３）は、該半導体層領域（２−３）おいてＵＶ−Ａ，ＵＶ−Ｂの光の吸収が実効的にないと見做され得る厚み以下のところに前記最大濃度位置（２−２）を有する紫外光用固体受光デバイス（ＵＶＳＤ２）を提供することにある。【００１９】
本発明の第三の観点は、前記差動回路が前記半導体基体内に前記フォトダイオード（１）と前記フォトダイオード（２）と一体的に設けられている紫外光用固体受光デバイス（ＵＶＳＤ３）を提供することにある。【００２０】
本発明の第四の観点は、前記差動回路が差動増幅回路である請求項３に記載の紫外光用固体受光デバイス（ＵＶＳＤ４）を提供することにある。【００２１】
本発明の第五の観点は、上記のいずれかの紫外光用固体受光デバイスを備えた電子機器を提供することにある。【００２２】
本発明の第六の観点は、前記電子機器であって、通信機能を備えている電子機器を提供することにある。
【発明の効果】
【００２３】
本発明によれば、簡単な構造で人体に有害な紫外光の照射量を精度よく適正に測定できる。【００２４】
又、本発明によれば、小型・軽量で低コストであり携帯（mobile）若しくは着用(wearable)に適した紫外光用固体受光デバイスを提供することが出来る。【００２５】
更には、周辺回路とセンサとを一体的に半導体基体に作り込むことも容易に出来る。
【図面の簡単な説明】
【００２６】
【図１】本発明に係る紫外光用固体受光デバイス主要部の構成を説明するための模式的説明図である。
【図２】フォトダイオード（１）１０２aに係る半導体不純物濃度のプロフャイルを示すグラフである。
【図３】フォトダイオード（２）１０２bに係る半導体不純物濃度のプロフャイルを示すグラフである。
【図４】本発明の紫外光用固体受光デバイスの基本構造を模式的に示した模式図である。
【図５】本発明の紫外光用固体受光デバイス主要部５００の光入射面の配置の一例を模式的に示した上面図である。
【図６】本発明の紫外光用固体受光デバイス主要部６００の光入射面の配置の一例を模式的に示した上面図である。
【図７Ａ】本発明を携帯形端末装置に適用した場合の一実施形態を示す概略外観図である。
【図７Ｂ】図７Ａに示した携帯端末装置の内部構成を示すブロック図である。
【図８】フォトダイオード（１）、フォトダイオード（２）及びこれらのフォトダイオードが作り込まれた本発明に係る受光デバイスの相対受光感度を示すグラフである。
【図９】地表に降り注ぐ太陽光のスペクトルを示すグラフである。
【図１０】図９を考慮した本発明に係る受光デバイスの相対分光出力を示すグラフである。
【発明を実施するための形態】
【００２７】
図１は、本発明に係る紫外光用固体受光デバイスの構成を説明するための模式的説明図の一例である。
【００２８】
図１に示される紫外光用固体受光デバイス主要部１００は、シリコン（Ｓｉ）を主成分とする半導体基体１０１内に、第一のフォトダイオード（１）１０２aと、第二のフォトダイオード（２）１０２bとを有している。
【００２９】
第一のフォトダイオード（１）１０２aと第二のフォトダイオード（２）１０２bは、実効上立体的に重ならない様に半導体基体１０１内に配されている。
【００３０】
ここで、「実効上立体的に重ならない様に」とは、第一のフォトダイオード（１）１０２aと第二のフォトダイオード（２）１０２bの入射面が該入射面に垂直な方向に於いて重ならないか実質的に重ならないことを云う。換言すれば、光照射時の各フォトダイオードからの出力のそれぞれが差動回路に入力され該差動回路より差動信号として出力される信号が目的の紫外光だけによるものであると見做し得る許容範囲にあることを云う。
【００３１】
図１に示される紫外光用固体受光デバイス主要部１００においては、第一のフォトダイオード（１）１０２aは、受光デバイス主要部１００の構成を後述する構成とすることによって、その出力信号へのＵＶ−Ａ，ＵＶ−Ｂなどの紫外光に基づくファクターの値を零（「０」）若しくは限りなく「０」とされる。
【００３２】
即ち、太陽光の照射を受ける際のフォトダイオード（１）１０２aの出力信号は、ＵＶーＡより長い波長の光に基づくものとされる。
【００３３】
他方、第二のフォトダイオード（２）１０２bは、受光デバイス主要部１００の構成を後述する構成とすることによって、ＵＶ−Ａ，ＵＶ−Ｂなどの紫外光の他可視光領域とそれより長い波長の領域の光もその出力信号に寄与するようにされる。
【００３４】
第一のフォトダイオード（１）１０２aと、第二のフォトダイオード（２）１０２bとを、この様な構成とすることによって、第一のフォトダイオード（１）１０２aの出力信号と、第二のフォトダイオード（２）１０２bの出力信号との差分を取ることにより、ＵＶ−Ａ，ＵＶ−Ｂなどの紫外光による出力信号を適正かつ効率的に取り出すことが出来る。
【００３５】
第一のフォトダイオード（１）１０２aは、第一の導電型（１）の半導体層領域（１−１）１０３aと、該半導体層領域（１−１）１０３aの上に設けた前記導電型（１）とは逆の第二の導電型（２）の半導体層領域（１−２）１０４aとで形成された半導体接合１０５aを有する。
【００３６】
第二のフォトダイオード（２）１０２bは、第一の導電型（１）の半導体層領域（２−１）１０３b、該半導体層領域（２−１）１０３bの上に設けた前記導電型（１）と逆の第二の導電型（２）の半導体層領域（２−２）１０４bとで形成された半導体接合１０５bを有する。
【００３７】
本発明におけるフォトダイオードは、この様に極性の異なる２つの半導体層領域を直接接触させ形成した半導体接合を有する構成のものを云う。該半導体接合のある層領域においては、十分なる光電流が発生するような空乏層の広がりが形成される。半導体接合は一つに限定されえるものではなく複数あっても良い。
【００３８】
半導体層領域（１−１）１０３aには、第一の導電型（１）を与える半導体不純物（１）が含有されている。該半導体不純物（１）の濃度は、前記半導体層領域（１−１）１０３aの層厚方向に分布している。該分布に関しては、層厚方向において、最大濃度位置（１−１）１０６aが設けてある。
【００３９】
半導体層領域（２−１）１０３bには、第二の導電型（２）を与える半導体不純物（２）が含有されている。該半導体不純物（２）の濃度は、前記半導体層領域（２−１）１０３bの層厚方向に分布している。該分布に関しては、層厚方向において、最大濃度位置（２−１）１０６bが設けてある。
【００４０】
図１においては、最大濃度位置（１−１）１０６aと最大濃度位置（２−１）１０６bとは半導体基体１０１の表面１０７の位置からの深さ方向において同じか若しくは実質的に同じとされているが、有害な紫外光をより精度よく測定するには、最大濃度位置（１−１）１０６aと最大濃度位置（２−１）１０６bとを意図的に違う位置になるように設計する方が設計の自由度が得られ好ましい。
【００４１】
ここに「実質的に同じ」とは、最大濃度位置（１−１）１０６aと最大濃度位置（２−１）１０３bとが半導体基体１０１の表面１０７からの深さ方向において同じ場合に得られる効果と実質的に同じ効果が得られることを云う。
【００４２】
半導体層領域（１−２）１０４a上には、導電型（１）の半導体層領域（１−３）１０９aが設けられ、該半導体層領域（１−３）１０９aでは、半導体不純物の濃度が層厚方向に分布し且つ該分布における最大濃度位置（１−２）１０８aが設けられている。
【００４３】
半導体層領域（２−２）１０４b上には、導電型（１）の半導体層領域（２−３）１０９bが設けられ、該半導体層領域（２−３）１０９bでは、半導体不純物の濃度が層厚方向に分布し且つ該分布における最大濃度位置（２−２）１０８ｂが設けられている。
【００４４】
最大濃度位置（１−２）１０８aと最大濃度位置（２−２）１０８bは半導体基体１０１の表面１０７の位置からの深さ方向において異なっている。
【００４５】
図１に示す受光デバイス主要部１００においては、最大濃度位置（１−２）１０８aは、最大濃度位置（２−２）１０８bより深い位置にある。
【００４６】
半導体層領域（１−３）１０９aは、最大濃度位置（１−２）１０８aよりも浅い領域においてＵＶ−Ａ，ＵＶ−Ｂの光が十分吸収され得る層厚d1(半導体基体の表面１０７の位置から深さ方向で位置Ａ１までの厚み)を有する。
【００４７】
本発明においては、位置Ａ１は、最大濃度位置（１−２）１０８aと同じ位置であっても設計上支障はないが、ＵＶ−Ａ，ＵＶ−Ｂの光が十分吸収され得る層厚d1が確保されるのであれば、製造許容として最大濃度位置（１−２）１０８aの上方にあるのが好ましい。
【００４８】
最大濃度位置（１―２）１０８aと位置Ｂ１の間の層領域（Ａ１）１１０aについては、最大濃度位置（１―２）１０８aを適正な位置に設けることが出来ることを条件に、その層厚は適宜所望の設計に従って決めることが出来る。
【００４９】
半導体層領域（２−３）１０９bは、その上部に、ＵＶ−Ａ，ＵＶ−Ｂの光の吸収が実効的にないと見做され得る厚みd２(半導体基体の表面１０７の位置から深さ方向で位置Ａ２までの厚み)を有する層領域（Ｂ２）１１１b内に最大濃度位置（２−２）１０８ｂを有する。
【００５０】
厚みd２を、最大濃度位置（２−２）１０８bを設けることが出来る範囲において可能な限り薄くすることで、厚みd２の層領域（Ｂ２）１１１b内においてのＵＶ−Ａ，ＵＶ−Ｂの光の吸収を実質的になくすことが出来る。即ち、層領域（Ｂ２）１１１b内におけるＵＶ−Ａ，ＵＶ−Ｂの照射影響がないか無視し得る程度に抑えることが出来る。
【００５１】
層領域（Ｂ２）１１１bの層厚は、上記した条件を満たすように設計上の所望に従って適宜決めることが望ましいが、具体的には、好ましくは６nm以下、より好ましくは、２nm以下であるのが望ましい。
【００５２】
図１においては、最大濃度位置（２−２）１０８bは、層領域（Ｂ２）１１１b内部に設けた例が示されているが、最大濃度位置（２−２）１０８bは、表面１０７と同等の位置であっても良い。
【００５３】
本発明においては、位置Ａ２と位置Ｂ２の間の層領域（Ａ２）１１０bは、必ずしも設けられるものではなく、受光デバイスの特性・性能によっては設計上省略することも出来る。
【００５４】
半導体層領域（２−３）１０９bを以上の様な構成とすることによって、太陽光の照射を受けた際のフォトダイオード（１）１０２aの出力へのＵＶ−Ａ，ＵＶ−Ｂの照射影響を効果的に除くことが出来る。
【００５５】
フォトダイオード（１）１０２aとフォトダイオード（２）１０２bについては、位置Ｃ１とＣ２，位置Ｄ１とＤ２，位置Ｅ１とＥ２が、それぞれ等しいか実質的に等しい位置にあるのが望ましい。
【００５６】
各位置をこのような位置関係にすることにより、ＵＶ−Ａ，ＵＶ−Ｂの光量や強度をより適正に測定することが出来る。
【００５７】
本発明においては、フォトダイオード（１）１０２aとフォトダイオード（２）１０２bの少なくとも直上の表面１０７上に、機械的保護の目的で、ＳｉＯ２、ＳｉＮ、ＳｉＣＮなどの絶縁材料でパッシベーション膜（又は保護膜）を所定厚設けても良い。
【００５８】
本発明の場合、受光デバイス主要部１００を前述の様に構成するので、膜厚による干渉の影響を考慮することなくパッシベーション膜の膜厚を任意に選択することが出来る。
【００５９】
図２には、フォトダイオード（１）１０２aに係る半導体不純物濃度のプロフャイルが示される。
【００６０】
図２において、横軸は、半導体基体１０１からの深さを表し、縦軸は、半導体不純物濃度値（Ａ）の対数表示である。
【００６１】
尚、半導体不純物濃度値（Ａ）は、第一の導電型（１）と第二の導電型（２）用の半導体不純物が混在している層領域においては、第一の導電型（１）の半導体不純物濃度値と第二の導電型（２）半導体不純物濃度値との差の絶対値で示す。
【００６２】
以降、この点は、同様なプロフャイルの説明においても同じである。
【００６３】
同様に、図３には、フォトダイオード（２）１０２bに係る半導体不純物濃度のプロフャイルが示される。図３の横軸・縦軸は、図２と同じである。
【００６４】
図４には、本発明の紫外光用固体受光デバイスの基本構造が模式的に示される。
【００６５】
紫外光用固体受光デバイス４００は、シリコン（Ｓｉ）を主成分とする半導体基体４０１中に形成されたフォトダイオード（１）４０２aと、フォトダイオード（２）４０２bと、差動回路４０３とを備えている。
【００６６】
図４においては、フォトダイオード（１）４０２aの出力に基づく信号（１）は、ライン４０４aを介して差動回路４０３のマイナス端子に、フォトダイオード（２）４０２bの出力に基づく信号（２）は、ライン４０４bを介して差動回路４０３のプラス端子に、それぞれ入力される。
【００６７】
信号（１）、信号（２）が差動回路４０３に入力されると、出力端子４０５から差動信号（３）が出力される。
【００６８】
差動回路４０３は、差動機能があれば、アンプ機能を備えていても備えてなくてもよいが、好ましくは、アンプ機能を備えているのが望ましい。
【００６９】
また、差動回路４０３は、半導体基体４０１にフォトダイオードとともに一体化形成しても好い。更には、別の半導体基体に形成し、フォトダイオードの形成された半導体基体４０１と共に第三の基体に搭載されてもよい。
【００７０】
図５には、本発明の紫外光用固体受光デバイス主要部５００の光入射面の配置の一例を模式的に示した上面図である。
【００７１】
図５では、フォトダイオード（１）５０１aとフォトダイオード（２）５０１bをそれぞれ一個ずつ平面併設したone-pairフォトダイオードタイプの最も単純な構成の例が示されている。
【００７２】
図６には、本発明の紫外光用固体受光デバイス主要部６００の光入射面の別な例の配置を模式的に示した上面図である。
【００７３】
図６では、８個のフォトダイオード（１）６０１aと８個のフォトダイオード（２）６０１bとの光入射面を市松模様に配設した例である。
【００７４】
この様に本発明でいうフォトダイオード（１）とフォトダイオード（２）のそれぞれを複数且つ同数配設することでフォトダイオードの製造上の個体差を小さくすることが出来る。
【００７５】
以下、本発明の紫外光用固体受光デバイスの好適な適用例の一実施形態を説明する。
【００７６】
図７Ａ，図７Ｂは、本発明を携帯形端末装置に適用した場合の一実施形態を示す概略構成図である。
【００７７】
図７Ａは概略外観図であり、図７Ｂは、内部構成のブロック図である。
【００７８】
図７Ａ，図７Ｂに示される携帯端末装置７０１は、ＧＰＳ(Global  Positioning System)測位部７０３、演算処理部７０４、記憶装置７０５、表示部７０６、とで構成されている。
【００７９】
携帯端末装置７０１の例としては、ナビゲーション機能を有する携帯電話機器、ＰＤＡ（Personal Digital Assistants）、タブレット、モバイルＰＣ等のモバイル電子機器や腕時計、モバイル電子機器や腕時計、電子機器機能を備えたスカウター・ネックレス・指輪等の着用品が挙げられる。
【００８０】
ＧＰＳ測位部７０３は，衛星７０２から送信される位置情報信号を受信して現在位置を測位する第１の現在位置演算部として機能する。
【００８１】
演算処理部７０４は、歩数を検出する上下加速度センサ７０８及び方位を検出する角速度センサ７０９の検出信号が入力されて、これらに基づいて現在位置を自律測位すると共に、ナビゲーション処理を実行する。
【００８２】
演算処理部７０４は、マイクロコンピュータ、ＣＰＵ（Central Processing Unit ）等で構成される。
【００８３】
記憶装置７０５は、演算処理部７０４で実行する処理プログラムを格納すると共に、演算処理で必要とする記憶テーブルを記憶するＲＯＭ７０５ａ、演算処理過程で必要とする演算結果等を記憶するＲＡＭ７０５ｂ及びナビゲーション処理終了時の現在位置情報を記憶する不揮発性メモリ７０５ｃで構成される。
【００８４】
表示部７０６は、演算処理部７０４から出力されるナビゲーション画像情報を表示するもので、液晶表示器、有機ＥＬ表示器等で構成される。
【００８５】
時計部７０７は、ＧＰＳ測位部７０３の作動時にＧＰＳ測位部７０３から出力される年／月／日／時刻を表す現在時刻情報で補正される年／月／日／時刻を表示する。
【００８６】
演算処理部７０４には、ＧＰＳ測位部７０３から出力される現在位置情報と、時計部７０７から出力される年／月／日／時刻を表す現在時刻情報と、携帯端末装置７０１を保持するユーザーの腰位置に装着した加速度センサ７０８から出力される加速度情報と、携帯端末装置７０１に装着されたジャイロ等の角速度センサ７０９から出力されるユーザーの歩行方向の方位に応じた角速度情報と、携帯端末装置７０１に照射される紫外線の強度を測定する紫外線検出手段としての紫外線センサ（紫外光用固体受光デバイス）７１０から出力される紫外線強度情報とが入力される。
【００８７】
演算処理部７０４には、外部の無線通信機器と無線通信する通信部７１１が接続されている。
【００８８】
ＲＯＭ７０５ａには、地域別位置情報記憶テーブル及び地域毎に１年の月に対応させて紫外線強度を表すＵＶインデックスの閾値を設定したＵＶインデックス閾値記憶テーブルと、が格納されている。
【００８９】
その他、ＲＯＭ７０５ａには、紫外線センサ７１０で検出した紫外線強度が有効であるか否かを判定する基準となる昼夜の境界となる日の出及び日の入り時刻を演算する昼夜判定用処理プログラムと、同様に紫外線強度が有効であるか否かを判定する基準となるＵＶインデックス閾値ＴＨｕｖを算出するＵＶインデックス閾値算出プログラムと、自律測位演算を行う自律測位演算用プログラムと、ＧＰＳ測位部７０３で演算した現在位置情報及び自律測位用プログラムによる自律測位演算処理で演算した現在位置情報の何れかを選択する演算部選択処理プログラムとが格納されている。
【００９０】
地域別位置情報記憶テーブルには、全国の都道府県名と、各都道府県の庁所在地名と、庁所在地の緯度（Ｎ）及び経度（Ｅ）とが記載されている。
【００９１】
ＵＶインデックス閾値記憶テーブルには、日本列島を４分割した地域、即ち札幌、つくば、鹿児島、那覇のそれぞれについて１〜４月、５〜８月及び９〜１２月の３分割された月毎にＵＶインデックスの閾値ＴＨｕｖが設定されている。
【００９２】
５〜８月では緯度にかかわらずＵＶインデックスの閾値ＴＨｕｖが一定値であるが、１〜４月及び９〜１２月では、緯度が高くなるにつれてＵＶインデックスの閾値ＴＨｕｖが小さくなるように設定されている。
【００９３】
また、演算処理部７０４は、昼夜判定用処理プログラムに従って紫外線強度が有効であるか否かを判別する基準となる昼夜判定用処理及びＵＶインデックス閾値算出処理を実行する。
【００９４】
このＵＶインデックス閾値算出処理は、先ず、ＧＰＳ測位部７０３で現在位置情報を生成しているか否かを判定する。ＧＰＳ測位部７０３で現在位置情報を生成しているときには、ＧＰＳ測位部７０３で演算された現在位置情報を読込み、現在位置の属する地域が札幌、つくば、鹿児島及び那覇の４分割領域の何れに属するかを決定する。
【００９５】
次いで、時計部７０７から月情報を読込み、決定した４分割領域の何れかと月情報とをもとにＵＶインデックス閾値記憶テーブルを参照してＵＶインデックス閾値ＴＨｕｖを算出してからＵＶインデックス閾値算出処理を終了する。
【００９６】
さらに、演算処理部７０４は、自律測位演算を行う自律測位演算用プログラムに従って自律測位演算処理を実行する。
【００９７】
この自律測位演算処理は、演算部選択処理によって自律演算処理が選択されたときに起動され、初期状態で、前回のＧＰＳ測位部７０３で測位した現在位置を初期位置として設定してから、所定のメインプログラムに対する所定時間（例えば１０ｍｓｅｃ）毎のタイマ割込処理として実行される。即ち、先ず、角速度センサ７０９で検出した角速度θｖを読込み、次いで、角速度θｖを積分して方位θを算出してから次のステップに移行する。
【００９８】
次いで、加速度センサ７０８で検出した上下加速度Ｇを読込んで、上下加速度Ｇの変化パターンから歩数Ｐを算出し、算出した歩数Ｐに予め設定した歩幅Ｗを乗算して移動距離Ｌを算出し、算出した方位θ及び移動距離Ｌに基づいて現在位置情報を更新し、更新した現在位置情報を地図情報に重ねて表示部７０６に表示してからタイマ割込処理を終了して所定のメインプログラムに復帰する。
【００９９】
さらにまた、演算処理部７０４は、演算部選択処理プログラムに従ってＧＰＳ測位部７０３で測位した現在位置情報及び自律測位演算処理で測位した現在位置情報の何れかを選択する演算部選択処理を実行する。
【０１００】
この演算部選択処理では、携帯端末装置７０１に電源が投入されてナビゲーション処理が選択されたときに実行開始され、を選択する演算部選択処理を実行する。
【０１０１】
本発明の紫外光用固体受光デバイスは、その小型・軽量の特性を活かして、上記に列挙した情報端末装置の他、化粧のためのツールであるコンパクト、携帯ナビゲーション機器、ドライブレコーダー、登山用の携帯気圧計・高低差形、ストップウオッチなどにも容易に組み込むことが出来る。
【０１０２】
「紫外光用固体受光デバイス主要部の製造の実施態様」
次に、p+np型素子構造を有する受光デバイス主要部の好適な製造例の一つを記述する。
【０１０３】
素子構造の極性が逆極性であっても本発明の範疇に入ることは、当該技術分野においては当然のことである。
【０１０４】
本発明の受光デバイスは、通常の半導体製造技術で形成する事が出来る。従って、以下の工程での説明では当該分野の技術者のとって自明のことは省略し要点を簡略に記載する。
【０１０５】
(1) Siウェハ（半導体基体）を準備する。ここではp型の不純物濃度が1×1016cm-3のp型Siウェハを用意する。
【０１０６】
ただし、n型の不純物濃度が1×1016cm-3のn型Siウェハを用いてもよいことは断るまでもない。
【０１０７】
(2) 半導体基体(p型Siウェハ)表面に7nmのSiO2膜を形成する。ここでは750℃の水分酸化を行う。
【０１０８】
(3)半導体層領域（１−１）および（２−１）となるｐ型ウェルを形成するためのイオン注入を行う。
【０１０９】
ここでは第一のフォトダイオード（１）の出力と第二のフォトダイオード（２）の出力の差分を得る際に、380nmより波長が長い太陽光に起因する出力分が実質的に0になるように、最大濃度位置（１−１）と最大濃度位置（２−１）とに差を設けるように形成することが好適である。
【０１１０】
最大濃度位置（１−１）が565nmとなるように、第一のフォトダイオード（１）のp型ウェル形成のためのイオン注入条件は、イオン種をB+をとし、注入エネルギー180keV, ドーズ1.0×1013cm-2とする。
【０１１１】
最大濃度位置（１−２）が500nmとなるように、第二のフォトダイオード（２）のp型ウェル形成のためのイオン注入条件は、イオン種をB+をとし、注入エネルギー150keV, ドーズ1.0×1013cm-2とする。
【０１１２】
(4)(3)で注入した不純物原子を活性化するために、熱処理を行う。
【０１１３】
ここでは、窒素雰囲気において900℃の熱処理を30分間行う。
【０１１４】
(5) 半導体層領域（１−２）および（２−２）を形成するためのイオン注入を行う。
【０１１５】
ここでは半導体層領域（１−２）および（２−２）を同時に形成する。 
ただし、別々にイオン注入条件を調整してもよい。
【０１１６】
半導体接合位置が300nm程度となるように、イオン注入条件は、イオン種をP+をとし、注入エネルギー120keV, ドーズ量1.5×1013cm-2とする。
【０１１７】
(6) 第一のフォトダイオード（１）の半導体層領域（１−３）を形成するためのイオン注入を行う。
【０１１８】
ここでは、最大濃度位置（１−２）が30nmとなるように、イオン種をBF2+をとし、注入エネルギー45keV, ドーズ量1.2×1013cm-2とする。
【０１１９】
(7) 第二のフォトダイオード（２）の半導体層領域（２−３）を形成するためのイオン注入を行う。
【０１２０】
ここでは、最大濃度位置（２−２）が１nmとなるように、イオン種をBF2+をとし、注入エネルギー15keV, ドーズ量1.0×1013cm-2とする。
【０１２１】
(8) 半導体層領域（１−２）および（２−２）から光電荷を引き抜くために、半導体層領域（１−２）および半導体層領域（２−２）それぞれ一部の領域に高濃度n型不純物層を形成するためのイオン注入を行う。
【０１２２】
イオン種をAs+をとし、注入エネルギー40keV, ドーズ量5×1015cm-2とする。
【０１２３】
(9) 半導体層領域（１−１）および（２−１）から光電荷を引き抜くために、半導体層領域（１−１）および 半導体層領域（２−１）それぞれ一部の領域に高濃度p型不純物層を形成するためのイオン注入を行う。
【０１２４】
イオン種をBF2+をとし、注入エネルギー40keV, ドーズ量5×1015cm-2とする。
【０１２５】
(10) 注入した不純物原子を活性化するために、熱処理を行う。
【０１２６】
ここでは、窒素雰囲気において1000℃の熱処理を5秒間行う。
【０１２７】
(11) 配線層間絶縁膜を形成する。ここでは、化学気相成長法を用いて300nmのSiO2膜を形成する。
【０１２８】
(12)高濃度n型不純物層および高濃度p型不純物層と配線とを接続するために、コンタクトホールを開口する。ここでは、ドライエッチングによって配線層間絶縁膜をエッチングする。
【０１２９】
(13) Al配線を形成するために、500nm厚のAlをスパッタ法を用いて成膜する。
【０１３０】
(14)Al配線を形成するために、ドライエッチングによってAlの一部の領域をエッチングしパターニングする。
【０１３１】
(15)パッシベーション膜を形成するために、300nmのSiN膜を化学気相成長法を用いて成膜する。
【０１３２】
好適には、紫外光の光透過を良好にするために、水素含有量が少なくなるよう成膜条件を 調整するのが良い。
【０１３３】
(16) 信号出力用のパッド領域上のパッシベーション膜を除去する。ここでは、ドライエッチングによってSiN膜をエッチングする。
【０１３４】
(17) 水素シンタリングを行うために、水素を10%含む窒素雰囲気で400℃での熱処理を行う。
【０１３５】
上記の様にして作成した本発明の紫外光用固体受光デバイスの一例として、３８０nm以上の波長の光の相対光感度の累積は、全体波長光の累積に対して、数％以内に抑えることが出来、有害な紫外光を精度よく測定することが出来ることが判明した。結果を図８乃至１０で説明する。
【０１３６】
図８は、第一のフォトダイオード（１）、第二のフォトダイオード（２）及びこれらのフォトダイオードが作り込まれた本発明に係る受光デバイスの相対受光感度を示すグラフである。
【０１３７】
図９は、地表に降り注ぐ太陽光のスペクトルを示すグラフである。
【０１３８】
図１０は、図９を考慮した本発明に係る受光デバイスの相対分光出力を示すグラフである。
【０１３９】
（Ａ）第一のフォトダイオード（１）
最大濃度位置（１−１）＝５６５ nm
最大濃度位置（１-２）=３０ ｎｍ
（Ｂ）第二のフォトダイオード（２）
最大濃度位置（２−１）＝５００ nm
最大濃度位置（２−２）＝１ nm
【０１４０】
図１０からも明らかな様に、出力の全光波長分の積分値に対する光波長２８０ー３８０nmの出力（斜線部分）の割合は、９６%であった。
【符号の説明】
【０１４１】
１００，５００，６００・・・紫外光用個体受光デバイス主要部
１０１・・・半導体基体
１０２a、５０１a、６０１a・・・フォトダイオード（１）
１０２b、５０１b、６０１b・・・フォトダイオード（２）
１０３a・・・半導体層領域（１−１）
１０３b・・・半導体層領域（２−１）
１０４a・・・半導体層領域（１−２）
１０４b・・・半導体層領域（２−２）
１０５a・・・半導体接合（１）
１０５b・・・半導体接合（２）
１０６a・・・最大濃度位置（１−１）
１０６b・・・最大濃度位置（２−１）
１０７・・・表面
１０８a・・・最大濃度位置（１−２）
１０８b・・・最大濃度位置（２−２）
１０９a・・・半導体層領域（１−３）
１０９b・・・半導体層領域（２−３）
１１０a・・・層領域（Ａ１）
１１０b・・・層領域（Ａ２）
１１１b・・・層領域（Ｂ２）
４００・・・紫外光用個体受光デバイス
４０１・・・半導体基体
４０２a・・・フォトダイオード（１）
４０２b・・・フォトダイオード（２）
４０３・・・差動回路
４０４a、４０４b・・・ライン
４０５・・・出力端子
【図１】
2015151198.tif 000003
【図２】
2015151198.tif 000004
【図３】
2015151198.tif 000005
【図４】
2015151198.tif 000006
【図５】
2015151198.tif 000007
【図６】
2015151198.tif 000008
【図７Ａ】
2015151198.tif 000009
【図７Ｂ】
2015151198.tif 000010
【図８】
2015151198.tif 000011
【図９】
2015151198.tif 000012
【図１０】
2015151198.tif 000013
【国際調査報告】
2015151198.tif 000014
2015151198.tif 000015
2015151198.tif 000016
2015151198.tif 000017